(57)【要約】【課題】防水機能を有する携帯無線機において、アンテナ性能の劣化を防止すると共にアンテナに接続される回路部が機械的に破損することを回避可能な携帯無線機を提供する。【解決手段】第１ケース１１と第２ケース１２とが組み合わされる筐体１０を有する携帯無線機であって、第１ケース１１と第２ケース１２とで挟持された環状弾性部材１３と、環状弾性部材１３と一体に形成され、環状弾性部材１３で囲まれた領域内に配設されたフレキシブルプリント基板１４と、フレキシブルプリント基板１４上に配設されたアンテナ部１５と、アンテナ部１５に配設された回路装荷部１９と、環状弾性部材１３で囲まれた領域内に配設された回路基板１７と、を備え、アンテナ部１５の一部が、環状弾性部材１３の一部に沿って配設され、回路装荷部１９が、環状弾性部材１３の内側に配設され、アンテナ部１５と回路基板１７のグランド部とが所定距離以上離間されている。【選択図】図１
2011035823.tif 000002
【特許請求の範囲】
【請求項１】
第１ケースと第２ケースとが組み合わされる筐体を有する携帯無線機であって、
前記第１ケースと前記第２ケースとで挟持された環状弾性部材と、
前記環状弾性部材と一体に形成され、前記環状弾性部材で囲まれた領域内に配設されたフレキシブルプリント基板と、
前記フレキシブルプリント基板上に配設されたアンテナ部と、
前記アンテナ部に配設された第１電気回路部と、
前記環状弾性部材で囲まれた領域内に配設された回路基板と、
を備え、
前記アンテナ部の一部は、前記環状弾性部材の一部に沿って配設され、
前記第１電気回路部は、前記環状弾性部材の内側に配設され、
前記アンテナ部と前記回路基板のグランド部とが所定距離以上離間された携帯無線機。
【請求項２】
請求項１に記載の携帯無線機であって、更に、
前記回路基板上に配設された第２電気回路部を備え、
前記第１電気回路部は、前記アンテナ部と前記第２電気回路部とのインピーダンスを整合する携帯無線機。
【請求項３】
請求項１に記載の携帯無線機であって、
前記第１電気回路部は、前記アンテナ部の電気長を制御する携帯無線機。
【請求項４】
請求項１ないし３のいずれか１項に記載の携帯無線機であって、
前記第１電気回路部は、インダクタ素子、コンデンサ素子、メアンダパターンの少なくとも１つを有する携帯無線機。
【発明の詳細な説明】
【技術分野】
【０００１】
本発明は、例えば携帯電話端末、携帯型情報端末（ＰＤＡ）、携帯型音楽プレーヤ、携帯型ゲーム機等に利用可能な携帯無線機に関し、特に筐体内部に収容されるアンテナとそれに付随する電気回路ならびに防水機能を実現するための構造に関する。
【背景技術】
【０００２】
無線通信用のアンテナの性能については、アンテナ素子とグランドとの距離に大きく依存する。すなわち、アンテナ素子とグランドとの距離が小さくなるに従って放射抵抗が下がり、アンテナの利得が低下する。
【０００３】
例えば携帯電話端末のような携帯無線機においては、大きさや厚みが小さい筐体の内部に、様々な機能を実現する多数の電気部品等を収容する必要があり、電子回路が搭載されるプリント基板の大きさは筐体の内空間の大部分を占める程度の大きさになってしまうのが実情である。また、このプリント基板にはグランドパターンが形成されている。従って、筐体の内部にアンテナ素子を内蔵する場合、通常はアンテナ利得の低下を防止するために、筐体内部の端部近傍にアンテナ素子を配置し、このアンテナ素子とプリント基板のグランドパターンとの距離を大きくする。
【０００４】
ところで、近年の携帯無線機においては、防水性の機能が求められている。従って、筐体の外部から筐体内部のプリント基板等の箇所に水分が侵入するのを防止するために、筐体の端部には、防水用のパッキン等の部材をプリント基板等の電気回路を囲むように配置することがある。
【０００５】
しかし、防水用のパッキンを筐体内部の端部に配置すると、このパッキンによって筐体内の残された空間が狭くなる。そして、筐体の端部にアンテナ素子を配置できず、パッキンよりも内側にアンテナ素子を配置することになるので、アンテナ素子とプリント基板との距離が小さくなり、アンテナの特性が劣化し易い。
【０００６】
防水構造の携帯無線機に関する従来技術は、例えば特許文献１に開示されている。特許文献１においては、筐体が上ケースと下ケースとで構成され、上ケースと下ケースとの連結部に額縁型の防水パッキンが存在し、アンテナ素子が防水パッキンの内部に埋設されるように構成することを開示している。
【０００７】
また、複数の無線周波数帯域に対応するマルチアンテナの従来技術が、例えば特許文献２に開示されている。特許文献２においては、第１の周波数帯（ｆ１）で共振動作する全長Ｌのアンテナパターンの中間部（長さＭの位置：第２の共振周波数帯（ｆ２）で共振動作する長さ）に切断部を設けることを提案している。また、この切断部はアンテナパターンの直線上に設けられている。この切断部には第２の共振周波数帯域で共振動作する受動素子を設置する。
【先行技術文献】
【特許文献】
【０００８】
【特許文献１】特開平６−３７８７６号公報
【特許文献２】特開２００４−２７４２６７号公報
【発明の概要】
【発明が解決しようとする課題】
【０００９】
しかしながら、特許文献１に開示された従来技術では、採用するアンテナ素子として直線状の素子しか構成できないため、アンテナ性能が単共振かつ狭帯域になってしまう。また、アンテナ素子が防水パッキンに埋設されているため広帯域化のための回路部品を追加することは困難である。仮に、環状に形成された防水パッキンの内側に何らかの素子を配置して回路部品を追加し、アンテナの特性を改善しようすると、接点が増えることになり、製造時に各接点の位置のばらつき等が生じ、アンテナの品質にばらつきが生じることがある。また、別途回路基板を設ける必要があり、構造が複雑になり部品点数も増える。
【００１０】
また、特許文献２では防水構造は想定していないが、仮に特許文献１と同様に防水パッキンを設ける場合に、特許文献２の従来技術を適用すると、防水パッキンの内側の空いている空間にアンテナ素子を配置せざるを得ないので、アンテナ素子と回路基板のグランドパターンとの距離が小さくなり、アンテナの特性が劣化する。また、アンテナ素子の中間部に受動素子が存在するので、このアンテナ素子を回路基板から離すために防水パッキンに近い位置にアンテナ素子を配置すると、受動素子が筐体に挟まれやすくなり受動素子の破損が生じやすい。
【００１１】
本発明は、防水機能を有し、アンテナ性能の劣化を防止すると共にアンテナに接続される回路部が機械的に破損することを回避可能な携帯無線機を提供することを目的とする。
【課題を解決するための手段】
【００１２】
本発明の携帯無線機は、第１ケースと第２ケースとが組み合わされる筐体を有する携帯無線機であって、前記第１ケースと前記第２ケースとで挟持された環状弾性部材と、前記環状弾性部材と一体に形成され、前記環状弾性部材で囲まれた領域内に配設されたフレキシブルプリント基板と、前記フレキシブルプリント基板上に配設されたアンテナ部と、前記アンテナ部に配設された第１電気回路部と、前記環状弾性部材で囲まれた領域内に配設された回路基板と、を備え、前記アンテナ部の一部が、前記環状弾性部材の一部に沿って配設され、前記第１電気回路部が、前記環状弾性部材の内側に配設され、前記アンテナ部と前記回路基板のグランド部とが所定距離以上離間されている。
【００１３】
この携帯無線機によれば、フレキシブルプリント基板が防水機能を実現する環状弾性部材と一体に形成されているので、アンテナ部は環状弾性部材に沿って、つまり筐体内部の回路基板のグランド部から離間した箇所に配設することができ、アンテナ性能の劣化を防止できる。また、アンテナ部に第１電気回路部が配設されているので、アンテナの電気長の調整や、共振周波数特性の調整が可能になる。
【００１４】
また、本発明の携帯無線機は、前記回路基板上に配設された第２電気回路部を備え、前記第１電気回路部が、前記アンテナ部と前記第２電気回路部とのインピーダンスを整合する。
【００１５】
この携帯無線機によれば、アンテナ部と無線回路等の電気回路とのインピーダンスを整合することができる。
【００１６】
また、本発明の携帯無線機は、前記第１電気回路部が、前記アンテナ部の電気長を制御する。
【００１７】
この携帯無線機によれば、第１電気回路部のパラメータを調整することにより、アンテナ部の物理的な長さを変更することなく、アンテナの共振周波数を所望の周波数に合わせることができる。
【００１８】
また、本発明の携帯無線機は、前記第１電気回路部が、インダクタ素子、コンデンサ素子、メアンダパターンの少なくとも１つを有する。
【００１９】
この携帯無線機によれば、第１電気回路部のリアクタンスによりアンテナ部の電気長を制御することができる。また、複数の素子を直列もしくは並列に接続して共振回路を形成すれば、複数の周波数帯で利用可能なアンテナを構成できる。
【発明の効果】
【００２０】
本発明によれば、防水機能を有し、アンテナ性能の劣化を防止すると共にアンテナに接続される回路部が機械的に破損することを回避可能である。
【図面の簡単な説明】
【００２１】
【図１】本発明の実施形態における携帯無線機内部の主要な構成要素の配置状態を表す平面図
【図２】図１に示した携帯無線機のＡ−Ａ’線断面から見たアンテナ部近傍の部分拡大断面図
【図３】図１に示した携帯無線機のＡ−Ａ’の近傍の詳細な構成を表す部分平面図
【図４】図１に示した携帯無線機の主要な構成要素を表す分解斜視図
【図５】図１に示した携帯無線機のＢ−Ｂ’線断面から見たアンテナ給電部近傍の部分拡大断面図
【図６】図１に示した携帯無線機に関する変形例１の構成を表す平面図
【図７】図６に示した携帯無線機のＣ−Ｃ’線断面から見たアンテナ給電部近傍の部分拡大断面図
【図８】図６に示した携帯無線機のＣ−Ｃ’線近傍の給電部の詳細な構成を表す部分平面図
【図９】本発明の実施形態における携帯無線機のアンテナに接続可能な回路部品の具体例を示す電気回路図
【図１０】図１に示した携帯無線機の構成の一部分の変形例を示す平面図
【発明を実施するための形態】
【００２２】
本発明の実施形態における携帯無線機について、図面を参照しながら以下に説明する。
【００２３】
図１は本実施形態における携帯無線機内部の主要な構成要素の配置状態の概要を示す図である。また、図４は図１に示した携帯無線機を分解した状態の一例の斜視図である。図１に示す携帯無線機は、例えば携帯電話端末であり、無線通信機能およびアンテナを搭載している。
【００２４】
この携帯無線機の筐体１０は、形状が変化しない固定形状であり、図４に示す第１ケース１１と第２ケース１２とを厚み方向（Ｚ軸方向）に組み合わせ、例えば嵌め合わせることにより構成される。この筐体１０の内空間には、図４に示すように無線部等の電気回路部１８（第２電気回路部）を搭載した回路基板１７と、フレキシブルプリント基板１４と、環状弾性部材１３とが収容される。実際には、環状弾性部材１３とフレキシブルプリント基板１４とは一体成形により一体化された１つの部品として構成されている。
【００２５】
例えば、予め形成したフレキシブルプリント基板１４を所定の型に装着し、環状弾性部材１３の材料を流動状態で上記型の内空間に流し込み固化させることにより、フレキシブルプリント基板１４と環状弾性部材１３を一体化することができる。
【００２６】
フレキシブルプリント基板１４上には、金属（導電体）の印刷パターンとして形成された（通常は印刷された銅箔をエッチング等で所定の形状に加工して形成）アンテナ部１５が搭載されている。
【００２７】
図１、図４に示すように、筐体１０および回路基板１７の平面形状は例えば矩形である。回路基板１７は、ＸＹ平面において環状弾性部材１３の内側に収容される。
【００２８】
フレキシブルプリント基板１４の形状は、本実施形態では回路基板１７の外周全体を取り囲むことができるように環状に形成されている。フレキシブルプリント基板１４の外周の輪郭および内周の輪郭は例えばそれぞれ矩形に近い形状に形成されており、フレキシブルプリント基板１４の内周の輪郭の大きさは、回路基板１７の外周の大きさよりも少し大きく形成され、フレキシブルプリント基板１４の外周の輪郭の大きさは内周の輪郭よりも少し大きく形成されている。また、フレキシブルプリント基板１４の外周の輪郭の大きさは筐体１０の内空間に収容可能な大きさになっている。
【００２９】
従って、図１に示すように、筐体１０の外周に近い位置に沿うようにフレキシブルプリント基板１４を配置し、フレキシブルプリント基板１４の内周の内側に回路基板１７を配置することができる。なお、フレキシブルプリント基板１４の形状については、必ずしもフレキシブルプリント基板１４を取り囲むように環状に形成する必要はなく、アンテナ部１５が存在する箇所の近傍だけに配置してもよい。
【００３０】
環状弾性部材１３は、主に防水機能を実現するための弾性を有する部材であり、例えばゴムパッキンである。環状弾性部材１３の平面形状はフレキシブルプリント基板１４と同様に環状であり、環状弾性部材１３の内周、外周共に平面形状は例えば矩形に形成されている。環状弾性部材１３の外周の大きさは、フレキシブルプリント基板１４の外周より大きく、且つ筐体１０の内空間に収容できる大きさに形成されている。
【００３１】
図２は図１におけるＹ軸方向から見たＡ−Ａ’断面の拡大構成図である。図３は図１におけるＺ軸方向から見たＡ−Ａ’付近の平面の拡大構成図である。図２に示すように、環状弾性部材１３には環状防水部２１と延長部２２とが一体に形成されている。環状防水部２１は、Ｚ軸方向の上端および下端に中央部がそれぞれ突出した曲面形状を有し、断面形状は略楕円形状である。延長部２２は、環状防水部２１の一部分から内周側、すなわち回路基板１７に向かう方向に延び（延設され）、平板形状に形成されている。環状防水部２１の厚み寸法は、延長部２２の厚み寸法よりも十分に大きくなっている。
【００３２】
図２に示すように、フレキシブルプリント基板１４は、厚み方向に延長部２２と重ねて固定されており、フレキシブルプリント基板１４の外周側端部は環状防水部２１に沿って配置されている。なお、フレキシブルプリント基板１４の外周側端部近傍が環状防水部２１の内部に埋め込まれるような位置関係で、フレキシブルプリント基板１４と環状弾性部材１３とを一体化しても良い。
【００３３】
防水機能を持たせるために、すなわち環状防水部２１と環状防水部２１を挟持する筐体１０内壁との隙間を無くしかつ適度な押圧力を与えるために、第１ケース１１側に形成した弾性部材保持部１１ａおよび第２ケース１２側に形成した弾性部材保持部１２ａは、それぞれ環状防水部２１の形状に合わせて曲面状の凹部を形成している。また、環状弾性部材１３の形状及び大きさに合わせて、弾性部材保持部１１ａ、１２ａは環状に形成されている。
【００３４】
図１に示すように、アンテナ部１５はＹ軸方向に沿って線状に延びるアンテナパターン１５ａを有しており、アンテナパターン１５ａの中央付近には回路装荷部１９が接続されている。この回路装荷部１９は、アンテナ部１５の電気長を調整したり、アンテナ部１５の共振周波数特性を調整したりするために設けられた回路要素である。
【００３５】
図３に示すように、回路装荷部１９は、フレキシブルプリント基板１４上に配置されており、アンテナパターン１５ａよりも内周側（回路基板１７に近い位置）に移動した位置に配置されている。また、アンテナパターン１５ａは筐体１０の内壁１２ｂよりも外周寄りの位置に配置してされており、回路装荷部１９は内壁１２ｂよりも内周寄りの位置に配置されている。回路装荷部１９の部品が破損するのを防止するためには、回路装荷部１９は、内壁１２ｂよりもα（例えば０．５ｍｍ）以上内周側に移動した位置に配置されるのが望ましい。
【００３６】
なお、図１〜図３に示す構成では、回路装荷部１９がアンテナパターン１５ａと比べて回路基板１７のグランド部に近い位置に配置されているが、グランド部との距離が近くなるのはアンテナの一部分だけであるため、アンテナの特性はほとんど劣化しない。
【００３７】
図３に示す構成例では、回路装荷部１９は並列に接続された２つの回路部品２４（２４ａ、２４ｂ）を有しており、これらは配線パターン１５ｂ、１５ｃを介してアンテナパターン１５ａと接続されている。回路装荷部１９では、例えばリフロー半田付けにより回路部品２４がフレキシブルプリント基板１４上に装荷されている。これらの回路部品２４は、図２に示すように筐体１０の内壁と干渉しない箇所、すなわち筐体内空間２０に配置されている。
【００３８】
図１に示す給電部１６は、回路基板１７上の無線部２６とフレキシブルプリント基板１４上のアンテナ部１５とを電気的に接続するための接続部である。給電部１６は、図１に示す例ではアンテナ部１５の下端側に配置されている。給電部１６の近傍では、内周側に突出するように形成された延長部１４ａがフレキシブルプリント基板１４に設けてあり、この延長部１４ａに沿ってアンテナパターン１５ａと接続された給電パターン１５ｄが形成されている。
【００３９】
この給電部１６の近傍の構成（図１のＢ−Ｂ’線断面）が図５に示されている。図５に示すように、給電部１６に相当する延長部１４ａの先端近傍では、フレキシブルプリント基板１４の下面側が給電部材２３の上端と当接し、フレキシブルプリント基板１４の上面側が第２ケース１２の突出部１２ｃと当接している。すなわち、給電部１６近傍ではフレキシブルプリント基板１４は給電部材２３と第２ケース１２とで厚み方向（Ｚ軸方向）に挟持されている。
【００４０】
給電部材２３は導電性の材料で構成されており、回路基板１７上の無線部２６と接続される給電ランドと電気的に接続された状態で回路基板１７上に固定されている。図５に示すフレキシブルプリント基板１４の下面には、給電部材２３の先端部と対向する箇所に給電ランド２５が形成されている。この給電ランド２５は、給電パターン１５ｄを経由してアンテナパターン１５ａと接続されている。なお、フレキシブルプリント基板１４の表面側の電極（ランド）と裏面側の電極とは所定のスルーホールを経由して電気的に接続されている。従って、図５に示すように構成することにより、給電部１６では回路基板１７上の回路とフレキシブルプリント基板１４上のアンテナ部１５とが電気的に接続される。
【００４１】
ところで、回路基板１７上には、表面の領域の一部にグランドパターン２７が形成されている。アンテナ部１５をグランドパターン２７からなるべく離間させるように構成することで、アンテナの放射抵抗を大きくすることができ、利得の低下を防止できる。すなわち、図１、図２に示すように環状弾性部材１３の環状防水部２１に沿った位置にアンテナ部１５を形成することにより、アンテナ部１５とグランドパターン２７との距離を大きくすることができ、アンテナ利得の低下を防止できる。また、アンテナ部１５と接続された回路装荷部（第１電気回路部）１９をフレキシブルプリント基板１４上に設けることにより、アンテナ部１５の周波数特性を調整することができる。回路装荷部１９をアンテナ部１５や環状防水部２１よりも内周側に配置することにより、アンテナ利得を低下させることなく、回路装荷部１９の部品の破損を防止できる。
【００４２】
回路基板１７のグランドパターンとアンテナ部１５との距離については、例えば数ｍｍ程度の距離を隔てるように配置することが想定される。この距離は筐体１０の大きさや空いている空間の大きさによって制限されるが、使用する無線周波数の波長λに対して、例えば平均的な距離が０．０１λ以上になるように定める必要があり、好ましくは、０．１〜０．２λ程度の距離に定められる。
【００４３】
（変形例１）
図６は、図１に示した携帯無線機に関する変形例１の構成を示す図である。また、図７は、図６のＣ−Ｃ’線断面をＹ軸方向から見た給電部近傍の構成を示す図である。また、図８は、給電部近傍の詳細な平面構成の一例を示す図である。なお、図６〜図８において図１〜図５の構成と対応する要素は同一の符号を付けて示してある。ここでは、変形例１において変更された構成や追加された構成について主に説明する。
【００４４】
変形例１においては、前述の回路装荷部１９の代わりに回路装荷部１９Ｂがフレキシブルプリント基板１４上に搭載されている。この回路装荷部１９Ｂは、給電部１６の近傍に配置されている。回路装荷部１９Ｂは、回路基板１７上の無線部２６等の電気回路部１８のインピーダンスと、フレキシブルプリント基板１４上のアンテナ部１５のインピーダンスとを整合させるための構成要素である。なお、図６〜図８に示す構成例において、図１〜図５の構成と同様の回路装荷部（第１電気回路部）１９をアンテナ部１５の中央付近に更に追加しても良い。
【００４５】
回路装荷部１９Ｂは、図８に示すように２つの回路部品２４（２４ａ、２４ｂ）を有している。また、フレキシブルプリント基板１４の延長部１４ａの先端近傍には、給電ランド２５の他に、グランドパターン２９および接地用ランド３０が更に形成されている。グランドパターン２９はアンテナ部１５と同様に例えば印刷された導電性のパターンにより形成され、接地用ランド３０と電気的に接続されている。
【００４６】
回路装荷部１９Ｂの回路部品２４ｃは、一端が配線パターン３１を介してアンテナ部１５と電気的に接続され、他端が給電ランド２５と電気的に接続されている。また、回路装荷部１９Ｂの回路部品２４ｄは、一端が給電ランド２５と電気的に接続され、他端がグランドパターン２９を介して接地用ランド３０と電気的に接続されている。
【００４７】
図７に示すように、回路基板１７上には、給電部材２３とともに導電部材２８が搭載されている。この導電部材２８は回路基板１７上のグランドパターン２７と電気的に接続されており、回路基板１７上に固定されている。この導電部材２８と対向する位置に、接地用ランド３０が形成されている。
【００４８】
従って、各構成要素を図７に示すように組み付けた状態では、フレキシブルプリント基板１４が筐体１０の第１ケース１１と第２ケース１２とで挟持され、給電部材２３と給電ランド２５が電気的に接続されると共に、導電部材２８と接地用ランド３０とが電気的に接続される。このため、回路部品２４ｃ、２４ｄを含む回路装荷部１９Ｂが無線部２６、グランドとアンテナ部１５との間に接続される。従って、インピーダンスの整合をとることができる。
【００４９】
前述の回路部品２４（２４ａ、２４ｂ、２４ｃ、２４ｄ）として利用可能な具体的な回路部品５１〜５９が、例として図９に示されている。図９の回路部品５１〜５９のそれぞれについて、以下に簡単に説明する。
【００５０】
回路部品５１は、１個のインダクタ（電気コイル）と１個のコンデンサとが並列に接続されて構成されている。回路部品５１は、並列共振回路を構成しているのでアンテナ部１５の共振周波数特性を調整し、複数の周波数帯で利用可能なアンテナを構成できる。
【００５１】
回路部品５２は、１個のインダクタで構成されており、回路部品５３は１個のコンデンサで構成されている。この回路部品５２又は回路部品５３をアンテナ部１５に接続することによりアンテナ部１５の電気長を調整し、アンテナ部１５の共振周波数特性を調整できる。
【００５２】
回路部品５４は、１個のインダクタと１個のコンデンサとが直列に接続されて構成されている。回路部品５４は、直列共振回路を構成しているので、アンテナ部１５の共振周波数特性を調整し、複数の周波数帯で利用可能なアンテナを構成できる。
【００５３】
回路部品５５は、１個のインダクタと１個のコンデンサとが並列に接続され、更に１個のコンデンサが直列に接続されて構成されている。回路部品５６は、１個のインダクタと１個のコンデンサとが並列に接続され、更に１個のインダクタが直列に接続されて構成されている。回路部品５７は、１個のインダクタと１個のコンデンサとが並列に接続されて構成された並列共振回路を２組設け、これらが直列に接続されて構成されている。
回路部品５５、５６、５７は、並列共振回路を構成しているのでアンテナ部１５の共振周波数特性を調整し、複数の周波数帯で利用可能なアンテナを構成できる。
【００５４】
回路部品５８は、ジグザグ状に形成されたメアンダパターンを１つの素子として備えている。メアンダパターンはリアクタンスを有しているので、インダクタやコンデンサのような他の受動素子と同様の用途に利用することができる。
【００５５】
回路部品５９は、メアンダパターンで構成される１つの素子とコンデンサとを並列に接続して構成されている。回路部品５９は並列共振回路として構成されているので、共振周波数を調整し、複数の周波数帯で利用可能なアンテナを実現するために利用できる。
【００５６】
なお、図１〜図３に示した構成例においては、アンテナ部１５上の１カ所だけに１つの回路装荷部１９を接続されているが、複数の回路装荷部１９をアンテナ部１５に接続しても良い。例えば、図１０に示した構成例においては、アンテナ部１５Ｃ上の互いに異なる位置に２つの回路装荷部３３、３４が接続されている。このように複数箇所に回路装荷部３３、３４が接続されることにより、１カ所だけに接続する場合と比べてより広帯域の周波数帯で利用可能な特性を有するアンテナが実現する。
【００５７】
このような本実施形態の携帯無線機によれば、フレキシブルプリント基板１４が防水機能を実現する環状弾性部材１３と一体に形成されているので、アンテナ部１５は環状弾性部材１３に沿って、つまり筐体内部の回路基板１７のグランド部から離間した箇所に配設することができ、アンテナ性能の劣化を防止できる。また、アンテナ部１５に回路装荷部１９、１９Ｂが配設されているので、例えばアンテナの電気長を調整したり、共振周波数特性を調整したりすることが可能になる。
【００５８】
なお、本実施形態では形状が変化しない筐体１０を用いる場合を想定したが、携帯電話端末などの携帯無線機は開閉やスライドにより筐体１０の形状を変更可能な筐体を用いる場合も多い。変形可能な筐体は、例えば互いに独立した上筐体と下筐体とをヒンジ等を介して連結することにより構成される。このような変形可能な筐体を用いる場合には、上筐体と下筐体のいずれか一方に無線回路が搭載された回路基板１７を収容し、他方の筐体にアンテナ部１５を含むフレキシブルプリント基板１４や環状弾性部材１３を収容する構成も想定することができる。
【産業上の利用可能性】
【００５９】
本発明は、防水機能を有し、アンテナ性能の劣化を防止すると共にアンテナに接続される回路部が機械的に破損することを回避可能な携帯無線機等に有用である。
【符号の説明】
【００６０】
１０  筐体
１１  第１ケース
１２  第２ケース
１１ａ，１２ａ  弾性部材保持部
１２ｂ  内壁
１２ｃ  突出部
１３  環状弾性部材
１４  フレキシブルプリント基板
１５  アンテナ部
１６  給電部
１７  回路基板
１８  電気回路部
１９  回路装荷部
２０  筐体内空間
２１  環状防水部
２２  延長部
２３  給電部材
２４  回路部品
２５  給電ランド
２６  無線部
２７  グランドパターン
２８  導電部材
２９  グランドパターン
３０  接地用ランド
３１，３２  配線パターン
３３，３４  回路装荷部
５１〜５９  回路部品
【図１】
2011035823.tif 000003
【図２】
2011035823.tif 000004
【図３】
2011035823.tif 000005
【図４】
2011035823.tif 000006
【図５】
2011035823.tif 000007
【図６】
2011035823.tif 000008
【図７】
2011035823.tif 000009
【図８】
2011035823.tif 000010
【図９】
2011035823.tif 000011
【図１０】
2011035823.tif 000012